(57)【特許請求の範囲】
【請求項１】
表示パネルの表示のために、光源の光を導く導光板を備える表示ユニットであって、
前記導光板を前記光の入射方向と交差方向の側面部間で跨がる補強部材と、
前記導光板の前記側面部に形成されたリブと、
を備え、
前記補強部材は、前記リブに固定されることを特徴とする表示ユニット。
【請求項２】
前記光源は表示ユニットの側面部に設置され、前記導光板は、入光面部を厚くこの入光面部と反対側の側面部を薄くして形成され、前記導光板の背面部で前記光を反射して前記表示パネルの出光面部に導くことを特徴とする請求項１記載の表示ユニット。
【請求項３】
前記補強部材は、前記導光板の背面側に設けられ、前記導光板と前記補強部材の厚さは、前記導光板の前記入光面部の厚さを越えないことを特徴とする請求項２記載の表示ユニット。
【請求項４】
前記導光板の背面部に制御装置が設けられ、前記導光板と前記制御装置の厚さは、前記導光板の前記入光面部の厚さを越えないことを特徴とする請求項２記載の表示ユニット。
【請求項５】
前記補強部材は、前記導光板の前記側面部間に跨る橋絡部と、前記補強部材を固定させる固定部とを備え、
前記固定部が前記リブに固定されることを特徴とする請求項１記載の表示ユニット。
【請求項６】
前記補強部材は、複数のビームからなることを特徴とする請求項１記載の表示ユニット。
【請求項７】
表示パネルの表示のために、光源の光を導く導光板を備える表示ユニットであって、
前記導光板を前記光の入射方向と交差方向の側面部間で跨がる補強部材と、
前記導光板の周囲部に設置されるシャーシと、
前記導光板の前記側面部に形成されたリブと、
このリブに対応して前記シャーシに形成された凹部と、
を備え、前記補強部材の固定された前記リブを前記シャーシの前記凹部に挿入することを特徴とする表示ユニット。
【請求項８】
前記補強部材は、アングル材、パイプ材又はチャネル材からなることを特徴とする請求項１又は７記載の表示ユニット。
【請求項９】
表示パネルの表示のために、光源の光を導く導光板であって、
背面側に前記光の入射方向と交差方向の側面部間に跨がる補強部材と、
前記側面部に形成され、前記補強部材を固定するリブと、
を備えることを特徴とする導光板。
【請求項１０】
情報処理を行う処理部と、前記情報処理の表示を行う表示パネルと、前記表示パネルの表示のために、光源の光を導く導光板とを備える情報機器であって、
前記導光板を前記光の入射方向と交差方向の側面部間で跨がる補強部材と、
前記導光板の前記側面部に形成されたリブと、
を備え、
前記補強部材は、前記リブに固定されることを特徴とする情報機器。
【発明の詳細な説明】
【技術分野】
【０００１】
本発明は、液晶表示（ＬＣＤ：Liquid Crystal Display）パネル等に用いられる導光板の補強構造に関し、使用環境の温湿度変化等による変形を防止した表示ユニット、導光板及び情報機器に関する。
【背景技術】
【０００２】
ＬＣＤパネル等を用いた表示ユニットは、例えば、図１に示すような構造を有する。この表示ユニット２には、表示パネル４の背面側（非表示面側）に複数のフィルム類６を介在させて導光板８が設置されているとともに、この導光板８の側面部に光源１０が設置されている。光源１０は、リフレクタ１２で包囲されて光１４の放射方向が規制されている。この光１４は導光板８を通して表示パネル４の背面側に照射される。導光板８は、入光部１６側を厚く、その反対側の側面部を薄く設定して傾斜面からなる反射面１８を備え、光源１０からの光１４を表示パネル４の背面側に効率的かつ均一に導く導光部材である。そして、表示ユニット２には、表示制御に用いられる制御基板２０やドライバＩＣ２２等が設置される。
【０００３】
このような表示ユニット２は、携帯パーソナルコンピュータの表示部に内蔵されて情報表示に用いられる等、各種の表示装置に用いられ、薄型軽量化を要求されている。斯かる要請により、導光板８は薄板化され、例えば、アクリル板が用いられている。導光板８を薄く形成すると、導光板８の剛性が低下し、環境温度や湿度の変化を受けて膨張や湾曲等の変形が生じ易くなる。変形した導光板８が表示パネル４のガラスセル側に接触すると、液晶表示や、表示ユニット２の外形に影響を及ぼす。例えば、図１に破線ａに示すように、導光板８が表示パネル４側に反って表示パネル４のセルに接触し、その変形による応力が導光板８から表示パネル４に加わることにより、表示パネル４の液晶層ギャップに変化等を生じさせると、表示に影響を及ぼし、表示品位を低下させるおそれがある。このため、導光板８は、図１の破線ｂに示すように、裏面方向へ反るように設計、製造される。このような裏面側への変形は表示ユニット２の外形変化を生じさせる。
【０００４】
このような表示ユニットの変形防止に関し、先行技術として例えば、特開平４−５６８２２号公報（特許文献１）、特開平１０−１０３２５号公報（特許文献２）が存在する。
【０００５】
特許文献１に開示された液晶表示装置では、例えば、図２に示すように、導光板８の周縁を包囲する主たるフレーム２４が設置され、このフレーム２４の上縁部と下縁部との間に複数の補強フレーム２６、２８が設置され、フレーム２４を補強フレーム２６、２８で強化することによって導光板８の変形を防止する。図３に示すように、各補強フレーム２６、２８は、フレーム２４にねじ等で固定されて比較的幅の広い帯状であることから、フレーム構造を頑強にする反面、フレーム２４の厚み方向に設置されているために導光板８と補強フレーム２６（又は２８）とからなる厚みｔが増し、表示ユニット２の薄型化・軽量化を妨げる。また、フレーム２４を用いない表示ユニット２では、フレーム２４を強化する補強フレーム２６、２８を設置することができない。
【０００６】
また、導光板８の背面部に帯状で幅の広い補強フレーム２６、２８を密着させて設置する補強構造では、図４に示すように、導光板８の背面部が補強フレーム２６、２８で覆われ、その割合が大きくなると、フレーム２４の補強の度合いが向上するものの、導光板８の背面側への制御基板２０やドライバＩＣ２２の配置が制限されたり、制御基板２０等の設計の自由度が損なわれる。図４に破線で示すように、補強フレーム２６、２８で覆われる部分には、ドライバＩＣ２２を設置することができない。
【０００７】
また、特許文献２に開示されたバックライト装置を参照すれば、例えば、図５に示すように、導光板８の内部に補強板３０を埋め込んで導光板８の剛性を高めている。この場合、補強板３０は光源となる冷陰極管３２と直角方向に配置されているが、導光板８に埋め込まれた補強板３０が導光板８内の光１４の伝播に影響を与え、光１４の拡散にむらや影等の偏り３４を生じさせる。これが液晶表示に影響を与え、表示品質を低下させる原因となる。これは、導光板８内の補強板３０が光１４を遮断し、光１４の拡散を妨げることに因る。このように補強板３０を設置して導光板８の剛性を高めても、補強板３０が表示品質を低下させる原因になるのであれば、補強板３０の設置は実用性に乏しい。
【特許文献１】特開平４−５６８２２号公報
【特許文献２】特開平１０−１０３２５号公報
【発明の開示】
【発明が解決しようとする課題】
【０００８】
このように、導光板８の変形防止対策として、補強フレーム２６、２８を設置して間接的に導光板８の変形を防止したり、導光板８に補強板３０を内蔵させて直接的に導光板８の剛性を強化して変形を防止する技術が開示されているものの、表示ユニット２の薄型化及び軽量化を課題とし、背面側に制御基板２０やドライバＩＣ２２の設置の自由度を確保しつつ、導光板８の変形を防止しようとする課題の開示はなく、斯かる課題は、特許文献１、２に開示の技術によっても解決することができない。
【０００９】
本発明は、表示パネルを用いる表示ユニットに関し、既述した従来技術の問題点を解決した表示ユニットを提供することを目的とする。
【００１０】
斯かる目的を詳細に述べれば、本発明は、表示パネルを用いる表示ユニットに関し、導光板の背面側空間の自由度を損なうことなく、導光板の変形防止を図ることを目的とするものである。
【課題を解決するための手段】
【００１１】
上記目的を達成するため、本発明の表示ユニットは、表示パネルの表示のために、光源の光を導く導光板を備える表示ユニットであって、前記導光板を前記光の入射方向と交差方向の側面部間で跨がる補強部材と、前記導光板の前記側面部に形成されたリブとを備え、前記補強部材は、前記リブに固定される構成である。
【００１２】
上記目的を達成するため、本発明の導光板は、表示パネルの表示のために、光源の光を導く導光板であって、背面側に前記光の入射方向と交差方向の側面部間に跨がる補強部材と、前記側面部に形成され、前記補強部材を固定するリブとを備える構成である。
【００１３】
上記目的を達成するため、本発明の情報機器は、情報処理を行う処理部と、前記情報処理の表示を行う表示パネルと、前記表示パネルの表示のために、光源の光を導く導光板とを備える情報機器であって、前記導光板を前記光の入射方向と交差方向の側面部間で跨がる補強部材と、前記導光板の前記側面部に形成されたリブとを備え、前記補強部材は、前記リブに固定される構成である。
【００１４】
このように、表示ユニット、導光板又は情報機器について、補強部材が側面部間に跨がって設置され、導光板の側面部間を把持する構成とすれば、補強部材の併設とその補強とにより、導光板が機械的に側面部間で強化されるので、使用環境の温湿度変化等による変化が阻止され、環境に対する耐性が高められる。
【００１５】
この場合、補強部材は導光板に対し、光の入射方向と交差方向に設置されているので、光源の設置を妨げることがなく、また、導光板内の光拡散を妨げることもない。
【００１６】
上記目的を達成するため、本発明の表示ユニットは、表示パネルの表示のために、光源の光を導く導光板を備える表示ユニットであって、前記導光板を前記光の入射方向と交差方向の側面部間で跨がる補強部材と、前記導光板の周囲部に設置されるシャーシと、前記導光板の前記側面部に形成されたリブと、このリブに対応して前記シャーシに形成された凹部とを備え、前記補強部材の固定された前記リブを前記シャーシの前記凹部に挿入する構成である。斯かる構成とすれば、シャーシに対する導光板の位置決め及び両者の合体が図られるとともに、そのリブを用いて補強部材を固定できる。しかも、リブはシャーシの凹部に設置されることから、補強部材がシャーシとリブとの間に挟み込まれるので、その固定状態が強化される。
【００１７】
上記目的を達成するためには、前記光源は表示ユニットの側面部に設置され、前記導光板は、入光面部を厚くこの入光面部と反対側の側面部を薄くして形成され、前記導光板の背面部で前記光を反射して前記表示パネルの出光面部に導く構成としてもよい。即ち、補強部材の設置は、斯かる構成を妨げることはない。
【００１８】
上記目的を達成するためには、前記補強部材は、前記導光板の背面側に設けられ、前記導光板と前記補強部材の厚さは、前記導光板の前記入光面部の厚さを越えない構成としてもよい。斯かる構成とすれば、補強部材が導光板の入光面部の厚さの範囲内に設置されているので、表示ユニットの厚みの増加や外観の形態を損なうことがない。
【００１９】
上記目的を達成するためには、前記導光板の背面部に制御装置が設けられ、前記導光板と前記制御装置の厚さは、前記導光板の前記入光面部の厚さを越えない構成としてもよい。斯かる構成とすれば、導光板の入光面部の厚さの範囲内に制御装置が設置されるので、表示ユニットの厚みの増加や外観の形態を損なうことがない。
【００２０】
上記目的を達成するためには、前記補強部材は、前記導光板の前記側面部間に跨る橋絡部と、前記補強部材を固定させる固定部とを備え、前記固定部が前記リブに固定される構成としてもよい。斯かる構成とすれば、導光板の側面部間に固定された補強部材により、導光板が補強される。
【００２１】
上記目的を達成するためには、前記補強部材は、複数のビームからなる構成としてもよく、また、前記各ビームを中間部で結合してなる構成としてもよい。このような構成とすれば、ビームを用いて補強部材を構成し、コンパクトな構造で導光板を強化できるとともに、その補強強度が高められる。
【００２２】
上記目的を達成するためには、前記補強部材と前記導光板との間に反射部材を挟み込む構成としてもよい。斯かる構成とすれば、補強部材が光学系に何ら影響を与えることがなく、補強部材の設置で反射部材と導光板とを密着させることができる。
【００２３】
上記目的を達成するためには、前記補強部材は、弾性を備えた線状材からなる構成としてもよく、また、アングル材、パイプ材又はチャネル材からなる構成としてもよい。斯かる構成とすれば、素材の持つ特性や形状に応じて導光板の環境変化による膨張や変形に対抗し得る剛性が得られ、適当な弾性を備えた部材で構成することにより、導光板の変形が防止される。
【００２４】
また、上記目的を達成するためには、本発明の情報機器において、前記表示パネル及び前記導光板はディスプレイ筐体に内蔵され、前記処理部は機器本体に内蔵されており、前記ディスプレイ筐体は前記機器本体に対して可動可能に連結される構成としてもよい。即ち、導光板が補強部材で補強される構造を備えて表示パネルとともにディスプレイ筐体に内蔵され、このディスプレイ筐体を機器本体に対して回動可能に構成することができる。
【発明の効果】
【００２５】
以上のように、本発明によれば、導光板が補強部材によって補強されるので、使用環境の温湿度の変化に対する導光板の変形防止を図ることができ、信頼性の高い表示ユニット、導光板又は情報機器を実現できる。
【００２６】
また、本発明によれば、使用環境の温湿度の変化に対する耐性が高められ、導光板の変形による表示品質の低下を来すことがない。
【００２７】
また、本発明によれば、導光板の背面部に補強部材が設置でき、導光板の補強構造を実現できるとともに、補強によって導光板を薄くできる等、表示ユニット、導光板又は情報機器の薄型軽量化に寄与することができる。
【００２８】
そして、本発明の他の目的、特徴及び利点は、添付図面及び各実施形態を参照することにより、一層明瞭になるであろう。
【図面の簡単な説明】
【００２９】
【図１】表示ユニットの基本構造を示す図である。
【図２】表示ユニットに用いられるフレームを示す斜視図である。
【図３】補強フレームを背面に設置した導光板を示す図である。
【図４】補強フレームを備えたフレームを用いた表示ユニットを示す図である。
【図５】導光板の内部に設置した補強板の影響を示す斜視図である。
【図６】本発明の第１の実施形態に係る表示ユニットを示す斜視図である。
【図７】導光板の補強構造を示す分解斜視図である。
【図８】補強ビームで補強された導光板の補強部分を示す断面図である。
【図９】補強ビームで補強された導光板を示す側面図である。
【図１０】本発明の第２の実施形態に係る表示ユニットの導光板及び補強ビームを示す斜視図である。
【図１１】本発明の第３の実施形態に係る表示ユニットの導光板及び補強ビームを示す斜視図である。
【図１２】本発明の第４の実施形態に係る表示ユニットの導光板及び補強ビームを示す斜視図である。
【図１３】補強ビームで補強された導光板を示す断面図である。
【図１４】本発明の第５の実施形態に係る表示ユニットを示す分解斜視図である。
【図１５】第５の実施形態に係る表示ユニットを示す背面図である。
【図１６】補強ビームに用いられる線状素材の形態を示す斜視図である。
【図１７】補強ビームに用いられる線状素材の形態を示す斜視図である。
【図１８】補強ビームに用いられる線状素材の形態を示す斜視図である。
【図１９】補強ビームに用いられる線状素材の形態を示す斜視図である。
【図２０】第６の実施形態に係る情報機器を示す斜視図である。
【発明を実施するための最良の形態】
【００３０】
（第１の実施形態）
【００３１】
本発明の第１の実施形態について、図６ないし図９を参照して説明する。図６は表示ユニットの導光板の補強構造を示す斜視図、図７は導光板の補強構造を示す分解斜視図、図８は補強部分を示す導光板の断面図、図９は導光板の補強構造を示す側面図である。
【００３２】
この表示ユニット４０は、図６に示すように、液晶表示（ＬＣＤ）パネル等の表示パネル４２の背面に導光板４４及び反射シート４６を備えるとともに、表示ユニット４０の側面部には、導光板４４の入光側に例えば、冷陰極管等からなる光源４８が設置され、この光源４８から発せられる光５０が導光板４４を通して表示パネル４２の背面側に照射される。導光板４４は、光源４８と表示パネル４２との間に介在させた導光部材であって、光源４８からの光５０を表示パネル４２の背面側に一様に照射する構成として、例えば、合成樹脂やガラス等の透明な導光材料で形成されている。この実施形態の導光板４４は、図７に示すように、長方形状の薄板であるが、その形状的かつ機能的に捉えれば、入光面部５２、反射面部５４及び出光面部５６とともに側面部５８、６０、６２を備えて偏平な六面体を構成している。
【００３３】
入光面部５２は光源４８から入光させる面部であって、入光面部５２の厚さｔ1 は対向する側面部５８の厚さｔ2 （＜ｔ1 ）より大きく設定して光５０の入光面積が大きく設定されている。反射面部５４は、反射シート４６の光反射機能と相俟って光５０を乱反射させて出光面部５６側に導く面部であって、入光面部５２からの光５０を受けるとともに、光反射機能を高めるため、出光面部５６に対して傾斜面であり、出光面部５６と不平行面を構成している。反射シート４６は、反射面部５４と同一形状であり、反射面部５４は乱反射を生じさせる例えば、凹凸面に形成される。また、出光面部５６は、光源４８からの光５０を表示パネル４２側に出光させる面部であり、例えば、フラット面で構成される。そして、対向する側面部６０、６２は、入光面部５２と側面部５８の厚さｔ1 、ｔ2 （ｔ1 ＞ｔ2 ）が異なるとともに、反射面部５４と出光面部５６とが不平行面を構成していることから、台形面を構成している。
【００３４】
そして、導光板４４の側面部６０、６２間には補強部材として補強ビーム６４が取り付けられ、この補強ビーム６４は光５０の入射方向と交差方向の側面部６０、６２間に跨がって設置され、導光板４４が側面部６０、６２間に設置された補強ビーム６４で把持されている。即ち、補強ビーム６４は、導光板４４の側面部６０、６２間に跨がる橋絡部６６と、この橋絡部６６の両端部に補強ビーム６４を固定させる固定部として鉤止部６８とを備え、例えば、剛性が高く弾性を備える部材として例えば、ステンレス等の金属から成る金属ワイヤで形成されている。この実施形態では、橋絡部６６が単一のビームで構成されている。また、導光板４４の側面部６０、６２には導光板４４と同一部材で形成された角柱状のリブ７４が形成されており、各リブ７４に補強ビーム６４の各鉤止部６８が引っ掛けられ、導光板４４の背面部に反射シート４６を介在させて橋絡部６６が設置されている。この実施形態では、矩形のリブ７４に固定するため、各鉤止部６８は、橋絡部６６の延長上の部材をリブ７４の周面部に沿って係止される屈曲形状とし、リブ７４の反対面側に回り込むように屈曲させた係止端部７６を備えている。
【００３５】
斯かる構成において、補強ビーム６４による導光板４４の補強作用を説明する。
【００３６】
補強ビーム６４の各鉤止部６８の間隔幅Ｗ1 を導光板４４の側面部５８の幅Ｗ2 と同等かその幅Ｗ2 より僅かに小さく、即ち、Ｗ1 ≦Ｗ2 に設定する。このような幅設定は、橋絡部６６を金属ワイヤで形成すれば、その長さや屈曲により任意に行える。このような補強ビーム６４が、図８に示すように、導光板４４の側面部６０、６２のリブ７４に鉤止部６８を固定させて導光板４４に固定されると、鉤止部６８間の幅とその間に設置される導光板４４の幅に応じて導光板４４の背面部で補強ビーム６４に張力や復元力が作用し、導光板４４の側面部６０、６２間が補強ビーム６４の鉤止部６８間に保持された状態で維持されるとともに、橋絡部６６が導光板４４の背面側に反射シート４６上に密接状態で維持される。この結果、補強ビーム６４に作用する張力や補強ビーム６４の元形状に復帰しようとする復元力による力Ｆ1 が各鉤止部６８側から導光板４４の側面部６０、６２間に加わり、導光板４４の圧縮方向に作用している。この場合、橋絡部６６を導光板４４側に屈曲させて密着させれば、橋絡部６６側から力Ｆ2 が加わることになる。
【００３７】
このような補強ビーム６４が併設されて補強された導光板４４では、その剛性が強化されたことになり、その変形が阻止される。このような導光板４４では、環境変化に対する耐性を向上させることができ、環境温度や環境湿度に変化を生じても、導光板４４に変形を生じることがなく、製造時の平板状態を維持できるので、変形による表示パネル４２への接触や接触による表示品質の低下等を防止することができる。
【００３８】
例えば、成形されたアクリル板ではその成形時に生じる残留応力により、高温高湿状態での変形が生じると解されているが、アクリル板の成形品を導光板４４に用いた場合、側面部６０、６２間に跨がる橋絡部６６を備える補強ビーム６４で導光板４４の側面部６０、６２間を保持するとともに、その背面側に橋絡部６６を当接させる構成とすれば、導光板４４が機械的に強化されるとともに、高温高湿状態で生じる変形に対し、補強ビーム６４の保持力が導光板４４側の残留応力による変形に打ち勝ち相殺できるので、導光板４４の変形を阻止することができる。
【００３９】
この実施形態では、補強ビーム６４の保持形態は、導光板４４の側面部６０、６２間を加圧状態に保持する形態（Ｗ1 ≦Ｗ2 ）としたが、導光板４４の幅方向の僅かな伸長が補強ビーム６４に作用して自発的な加圧状態が得られて導光板４４の変形を阻止する形態としてもよい。
【００４０】
また、この実施形態では、この補強ビーム６４の橋絡部６６は導光板４４に対し、光５０の入射方向と交差方向に設置され、即ち、その固定部であるリブ７４を側面部６０、６２側に備えて鉤止部６８が取り付けられるので、補強ビーム６４が光源４８を避けて設置でき、光源４８の設置が妨げられることがない。また、橋絡部６６は導光板４４の背面側に設置されているので、補強ビーム６４が導光板４４内の光拡散を妨げることもない。
【００４１】
また、導光板４４は、図９に示すように、光５０の入光面部５２を厚く、この入光面部５２と反対側の側面部５８を薄くして形成される傾斜面部からなる反射面部５４と、入光面部５２側の厚さｔ1 により反射面部５４上に想定される仮想面７８との間の空間部８０内に橋絡部６６を備えた構成とすることができる。余裕空間である空間部８０内に橋絡部６６が設置され、仮想面７８の面内に橋絡部６６を導光板４４及び反射シート４６の厚みｔ3 内に収めることができ、導光板４４の厚みを増加させることもなく、従って、表示ユニット４０の厚みを増加させることもない。即ち、導光板４４の背面部に補強ビーム６４が設置され、この補強ビーム６４に導光板４４の厚さを加えても導光板４４の入光面部５２の厚さｔ1 を越えない範囲である。換言すれば、表示ユニット４０を従前と同様の厚みとすれば、環境変化に対する耐性を向上させた表示ユニット４０を実現できるとともに、補強ビーム６４の設置で剛性が高められる分だけ導光板４４を薄く形成できるので、表示ユニット４０の薄型軽量化をより進めることができる。この実施形態では、反射シート４６の厚さを加味した厚さ内に補強ビーム６４が設置されているので、補強ビーム６４の設置が導光板４４の入光面部５２の厚さｔ1 内に余裕を持って設置されている。
【００４２】
（第２の実施形態）
【００４３】
本発明の第２の実施形態について、図１０を参照して説明する。図１０は第２の実施形態に係る補強ビームを用いた補強構造を示す斜視図である。
【００４４】
この第２の実施形態に係る補強ビーム６４は、金属ワイヤをループ化することにより、橋絡部６６を上下２本のビーム６６Ａ、６６Ｂで構成するとともに、導光板４４のリブ７４に引っ掛けるＵ字形の鉤止部６８をリブ７４側に屈曲させた構成としたものである。
【００４５】
斯かる構成とすれば、補強ビーム６４がリブ７４の幅Ｗ3 に対応した間隔を持つ橋絡部６６がビーム６６Ａ、６６Ｂを備えていることにより、導光板４４の保持強度が高められ、その補強を増大させることができ、環境温度や環境湿度の変化による導光板４４の変形を防止することができ、このように補強された導光板４４を用いて表示ユニット４０を構成すれば、第１の実施形態と同様の効果が得られる。
【００４６】
（第３の実施形態）
【００４７】
本発明の第３の実施形態について、図１１を参照して説明する。図１１は第３の実施形態に係る補強ビームを用いた補強構造を示す斜視図である。
【００４８】
この第３の実施形態に係る補強ビーム６４は、金属ワイヤをループ化して導光板４４のリブ７４に引っ掛けるＵ字形の鉤止部６８をリブ７４側に屈曲させるとともに、橋絡部６６を複数のビーム６６Ａ、６６Ｂで構成し、その中間部を結合部６６Ｃで結合して束ねた形態からなるクロスビーム構造としたものである。
【００４９】
斯かる構成とすれば、橋絡部６６のビーム６６Ａ、６６Ｂが中間部の結合部６６Ｃで結合されているので、補強ビーム６４がより強化され、導光板４４がより補強されることになる。従って、環境温度や環境湿度の変化による導光板４４の変形を防止することができ、このように補強された導光板４４を用いて表示ユニット４０を構成すれば、前記実施形態と同様の効果が得られる。
【００５０】
（第４の実施形態）
【００５１】
本発明の第４の実施形態について、図１２及び図１３を参照して説明する。図１２は第４の実施形態に係る補強ビームを用いた補強構造を示す斜視図、図１３は補強構造部分を示す断面図である。
【００５２】
この第４の実施形態に係る補強ビーム６４は、導光板４４側に突出して密着させる当接部７０を一対の屈曲部７２とともに橋絡部６６に形成したものである。
【００５３】
斯かる構成とすれば、図１３に示すように、導光板４４の側面部６０、６２のリブ７４に鉤止部６８を固定させて補強ビーム６４が導光板４４に固定されると、鉤止部６８間の幅方向に導光板４４の背面部で補強ビーム６４に張力や復元力が作用し、導光板４４の側面部６０、６２間が補強ビーム６４の鉤止部６８間に保持された状態で維持されるとともに、当接部７０が導光板４４の背面側に反射シート４６上に密接状態で維持される。この結果、導光板４４には補強ビーム６４に作用する張力や補強ビーム６４の元形状に復帰しようとする復元力により、鉤止部６８側から力Ｆ1 、当接部７０側から力Ｆ2 が導光板４４に作用して釣合い、導光板４４を補強することができる。
【００５４】
（第５の実施形態）
【００５５】
本発明の第５の実施形態について、図１４及び図１５を参照して説明する。図１４は第５の実施形態に係る表示ユニットを示す分解斜視図、図１５は組み立てられた表示ユニットを示す背面図である。
【００５６】
この表示ユニット４０は金属で構成された長方形状のフレーム８２を備えており、このフレーム８２には表示パネル４２、光学系積層シート４３、導光板４４、反射シート４６、合成樹脂からなるシャーシ８４が設置されている。光学系積層シート４３は、輝度調整や光拡散の機能を持つシート類を構成しており、この実施形態では、２枚の光拡散シート４３Ａ、４３Ｂに２枚のレンズシート４３Ｃ、４３Ｄを積層させたものである。フレーム８２の側部にはシャーシ８４を固定するための鉤止部８６が形成され、この鉤止部８６にシャーシ８４の側部に形成された突部８８を挿入することにより、フレーム８２とシャーシ８４とを合体させ、その間に表示パネル４２、光学系積層シート４３、導光板４４及び反射シート４６が挟み込まれて保持される。また、導光板４４の両側部には位置決めとともに補強ビーム６４の固定に用いられるリブ７４が形成されており、このリブ７４に対応してシャーシ８４には、リブ７４の位置決めとともにリブ７４を挿入して固定する凹部９０（図１５）が形成されている。
【００５７】
導光板４４は、シャーシ８４に合体される前にリブ７４に補強ビーム６４の鉤止部６８が引っ掛けられることにより補強ビーム６４が取り付けられる。既述の通り、この補強ビーム６４により、導光板４４が補強されている。
【００５８】
また、補強ビーム６４がリブ７４に取り付けられた導光板４４は、そのリブ７４をシャーシ８４の凹部９０に挿入して位置決めされてシャーシ８４と合体する。このとき、リブ７４に取り付けられている補強ビーム６４は、シャーシ８４の凹部９０内に挿入され、導光板４４のリブ７４とシャーシ８４との間に把持されて固定される。この結果、補強ビーム６４の固定強度は、シャーシ８４と導光板４４との合体により強化される。
【００５９】
そして、シャーシ８４には、光源４８として冷陰極管が取り付けられるとともに、表示パネル４２の表示制御のための制御装置として制御基板９２が設置され、制御基板９２には制御ＩＣ９４Ａ、複数のドライバＩＣ９４Ｂ等が設置されている。光源４８にはワイヤ９６の端部に取り付けられたプラグ９８を通してインバータ電源等により給電される。
【００６０】
このように導光板４４を補強する補強ビーム６４が金属ワイヤ等の線状素材で構成され、しかも、導光板４４の中央部分を橋絡する形態で補強ビーム６４が取り付けられるので、導光板４４の背面部側の制御基板９２の設置空間を損なうことがなく、この実施形態においても、制御基板９２は導光板４４の背面部に余裕を持って設置されている。即ち、制御基板９２、制御ＩＣ９４Ａ等の制御装置が導光板４４の背面部に設置され、この制御装置と導光板４４の厚さは導光板４４の入光面部５２の厚さ（ｔ1 ）の範囲内であるから、表示ユニット４０の薄型化が図られている。また、制御基板９２上の制御ＩＣ９４ＡやドライバＩＣ９４Ｂが補強ビーム６４による配置上の制限を受けることもなく、制御基板９２の上面の自由な位置に設定、配置することができる。この結果、制御回路の設計上の自由度が高められている。
【００６１】
そして、リブ７４の位置を表示パネル４２の高さ中央付近の位置に設定すれば、導光板４４がくさび形でなだらかに薄くなっていくので（図９）、既述の通り、補強ビーム６４を設置する空間が確保されており、表示ユニット４０の厚みが増加することはない。しかも、表示ユニット４０の組立て時に、導光板４４と反射シート４６（即ち、反射板）を接合させてから補強ビーム６４が導光板４４の背面側に取り付けられるので、補強ビーム６４が導光板４４等の光学系に何らの影響を与えることはない。
【００６２】
また、補強ビーム６４は、導光板４４のシャーシ８４への固定及び位置決めに用いられるリブ７４を用いて固定され、導光板４４への入射光や拡散光を遮る構造でないため、表示パネル４２への光照射に影響を与えることがなく、表示品位を低下させることもない。また、補強ビーム６４は、導光板４４側に設置し、導光板４４に固定されて導光板４４を補強する構造であることから、フレーム８２を備えない表示ユニット４０にも適用することができる。
【００６３】
なお、補強ビーム６４を構成する線状素材については、例えば、図１６に示すように、丸棒状の金属ワイヤ１００を使用してもよく、図１７に示すように、断面Ｌ型のアングル材１０２を使用してもよく、図１８に示すように、パイプ材１０４を使用してもよく、図１９に示すように、断面Ｃ字状のチャネル材１０６を使用してもよい。金属ワイヤ１００を使用すれば、補強ビーム６４の剛性は、素材の持つ剛性に依存し、アングル材１０２、パイプ材１０４又はチャネル材１０６を使用すれば、素材の持つ剛性に加え、形状によって強化される。
【００６４】
また、導光板４４と補強ビーム６４との固定については、導光板４４の側面部６０、６２に係止凹部を形成し、各係止凹部に補強部材の端部を挿入して両者を合体させる構成としてもよい。
【００６５】
また、この実施形態では、制御装置の一部であるドライバＩＣ９４Ｂをシャーシ８４上に設置した例を示しているが、このドライバＩＣ９４Ｂを制御ＩＣ９４Ａ等とともに、制御基板９２に設置することにより、導光板４４の入光面部５２の厚さｔ1 （図９）の範囲内に収めるように構成してもよい。
【００６６】
（第６の実施形態）
【００６７】
本発明の第６の実施形態について、図２０を参照して説明する。図２０は第６の実施形態に係る情報機器として例えば、ノートブックパーソナルコンピュータ（いわゆるノートパソコン）の外観を概略的に示している。
【００６８】
このノートパソコン１１０は、薄型の機器本体１１２と、所定の回転軸１１４回りで（矢印Ｎ）回動自在に機器本体１１２にヒンジ部１１６により連結されるディスプレイ用筐体１１８とを備えている。機器本体１１２の筐体内にはいわゆるマザーボード（図示されず）が組み込まれており、そのマザーボードには情報処理を行う処理部としてＣＰＵ（中央演算処理装置）やメモリ等が実装されている。ＣＰＵは、例えばメモリに一時的に取り込まれるＯＳ（オペレーティングシステム）やアプリケーションソフトウェアに基づき演算処理を実施する。このＣＰＵの演算処理にあたって、使用者は、機器本体１１２に搭載されたキーボード１２０、ポインティングデバイス１２２等の入力装置により様々なデータや指令を入力することができる。
【００６９】
ディスプレイ用筐体１１８は、ベース１２４と、ベース１２４に覆い被さるカバー１２６とを備える。カバー１２６及びベース１２４の間には、既述の情報処理の表示を行うため、既述の表示ユニット４０（図６）が設置されており、長方形の液晶ディスプレイ（ＬＣＤ）の表示パネル４２が収容される。表示パネル４２の画面上には既述のＣＰＵの演算処理に基づきグラフィックスやテキストが映し出され、表示される。カバー１２６やベース１２４は例えば、ポリカーボネートといった樹脂材料から成型されればよい。
【００７０】
斯かる構成において、このノートパソコン１１０に内蔵された表示ユニット４０の構成（図６、図１４、図１５）、導光板４４の補強構造（図６ないし図１３）、補強ビーム６４の素材（図１６ないし図１９）は、既述の通りであるので、その詳細は省略する。そして、このノートパソコン１１０に既述の導光板４４の補強構造を適用することで、使用環境の温湿度の変化に対する耐性が高められ、信頼性の高い情報機器として実現される。
【００７１】
なお、この実施形態においては、機器本体とディスプレイ用筐体からなる情報機器について本発明を説明したが、ペンコンピュータ、ＰＤＡ及び携帯電話のように機器本体とディスプレイ用筐体が一体化した情報機器においても本発明は実施可能である。
【００７２】
また、この実施形態においては、情報機器に内蔵された光源について本発明を説明したが、外部光源を利用した場合でも本発明は実施可能である。
【００７３】
以上述べたように、本発明の最も好ましい実施形態等について説明したが、本発明は、上記記載に限定されるものではなく、請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【００７４】
本発明の表示ユニット、導光板及び情報機器は、導光板を補強部材で補強することにより、環境温度や環境湿度に対する耐性を向上させ、厳しい環境下での使用が可能であって、斯かる補強構造は、薄型軽量化を図って幅広く適用できる等、有用である。
【符号の説明】
【００７５】
４０  表示ユニット
４２  表示パネル
４４  導光板
４８  光源
５０  光
６０、６２  側面部
６４  補強ビーム（補強部材）
７４  リブ
８０  空間部
８４  シャーシ
９０  凹部
９２  制御基板
１００  金属ワイヤ（線状材）
１０２  アングル材（線状材）
１０４  パイプ材（線状材）
１０６  チャネル材（線状材）
【図１】
0004457109.tif 000002
【図２】
0004457109.tif 000003
【図３】
0004457109.tif 000004
【図４】
0004457109.tif 000005
【図５】
0004457109.tif 000006
【図６】
0004457109.tif 000007
【図７】
0004457109.tif 000008
【図８】
0004457109.tif 000009
【図９】
0004457109.tif 000010
【図１０】
0004457109.tif 000011
【図１１】
0004457109.tif 000012
【図１２】
0004457109.tif 000013
【図１３】
0004457109.tif 000014
【図１４】
0004457109.tif 000015
【図１５】
0004457109.tif 000016
【図１６】
0004457109.tif 000017
【図１７】
0004457109.tif 000018
【図１８】
0004457109.tif 000019
【図１９】
0004457109.tif 000020
【図２０】
0004457109.tif 000021